(57)【特許請求の範囲】
【請求項１】
基地局がチャネル品質情報を取得するステップと、
基地局が、取得されたチャネル品質情報に基づいて、チャネル品質が予め設定されたチャネル品質の閾値を満たすと判断した場合、データの下位層への送信の重み値情報を調整するステップと、を含み、
前記チャネル品質情報は、チャネルのランク指標ＲＩ、プレコーディング行列指標ＰＭＩ、チャネル品質指標ＣＱＩのうちの１つ又は複数を含み、
前記チャネル品質が予め設定されたチャネル品質の閾値を満たすことは、取得された前記ＲＩがＮ以下であり、且つ取得された前記ＣＱＩが第１のチャネル品質の閾値Ｍより小さいことを含み、Ｎがサウンディング基準信号ＳＲＳの上位層への送信のアンテナポート数以下であり、
この時、前記データの下位層への送信の重み値情報を調整することは、前記基地局が非周期的なＳＲＳの上位層への送信をトリガし、且つ最近上位層へ送信された非周期的なＳＲＳによってデータの下位層への送信の重み値を算出することを含む
重み値取得方法。
【請求項２】
前記基地局が非周期的なＳＲＳの上位層への送信をトリガした後、非周期的なＳＲＳの上位層への送信の時間間隔が、チャネル状態に基づいて基地局によってトリガされる
請求項１に記載の重み値取得方法。
【請求項３】
前記チャネル品質が予め設定されたチャネル品質の閾値を満たすことは、取得された前記ＲＩがＮ以下であり、且つ取得された前記ＣＱＩが第２のチャネル品質の閾値Ｍ１より小さいことを含み、ＮがＳＲＳの上位層への送信のアンテナポート数以下であり、
この時、前記データの下位層への送信の重み値情報を調整することは、前記基地局が無線リソース制御ＲＲＣの再設定を行い、閉ループ伝送モードから開ループ伝送モードに切り替えて、周期的なＳＲＳの上位層への送信を起動し、周期的なＳＲＳによってデータの下位層への送信の重み値を算出することを含む
請求項１に記載の重み値取得方法。
【請求項４】
前記チャネル品質が予め設定されたチャネル品質の閾値を満たすことは、取得された前記ＲＩがＮより大きく、取得された前記ＣＱＩが第３のチャネル品質の閾値Ｍ２以上であり、且つ上位層の伝送モードが開ループ伝送モードに設定されることを含み、ＮがＳＲＳの上位層への送信のアンテナポート数以下であり、
この時、前記データの下位層への送信の重み値情報を調整することは、前記基地局の上位層が伝送モードの再設定を行い、閉ループ伝送モードに設定され、閉ループ伝送モードで基地局が取得された前記ＰＭＩをデータの下位層への送信の重み値として使用することを含む
請求項１に記載の重み値取得方法。
【請求項５】
前記チャネル品質情報が予め設定されたチャネル品質の閾値を満たすことは、取得された前記ＲＩがＮより大きいことを含み、前記Ｎがアンテナポート数以下であり、
この時、前記基地局は取得された前記ＰＭＩを前記データの下位層への送信の重み値として使用する
請求項１に記載の重み値取得方法。
【請求項６】
前記基地局がデータの下位層への送信の重み値情報を調整した後、前記重み値を利用して下位層へ送信されたデータに対して重み付け処理を行うステップをさらに含む
請求項１から請求項５のうちいずれか１項に記載の重み値取得方法。
【請求項７】
前記基地局がチャネル品質情報を取得した後、取得された前記チャネル品質が予め設定されたチャネル品質の閾値を満たさない場合、現在の重み値の取得方式を維持するステップをさらに含む
請求項１から請求項５のうちいずれか１項に記載の重み値取得方法。
【請求項８】
チャネル品質情報を取得するように構成される取得モジュールと、
取得されたチャネル品質情報に基づいて、チャネル品質が予め設定されたチャネル品質の閾値を満たすと判断した場合、データの下位層への送信の重み値情報を調整するように構成される処理モジュールと、を備え、
前記処理モジュールが、取得されたチャネル品質情報に基づいて、チャネル品質が予め設定されたチャネル品質の閾値を満たすと判断した場合、データの下位層への送信の重み値情報を調整することは、
取得された前記チャネル品質情報におけるＲＩがＮ以下であり、且つ取得された前記チャネル品質情報におけるＣＱＩが第１のチャネル品質の閾値Ｍより小さい場合、非周期的なＳＲＳの上位層への送信をトリガし、最近上位層へ送信された非周期的なＳＲＳによってデータの下位層への送信の重み値を算出する処理と、
取得された前記チャネル品質情報におけるＲＩがＮ以下であり、且つ取得された前記チャネル品質情報におけるＣＱＩが第２のチャネル品質の閾値Ｍ１より小さい場合、ＲＲＣの再設定を行い、閉ループ伝送モードから開ループ伝送モードに切り替えて、周期的なＳＲＳの上位層への送信を起動し、周期的なＳＲＳによってデータの下位層への送信の重み値を算出する処理と、
取得された前記チャネル品質情報におけるＲＩがＮより大きく、取得された前記チャネル品質情報におけるＣＱＩが第３のチャネル品質の閾値Ｍ２以上であり、且つ上位層の伝送モードが開ループ伝送モードに設定される場合、伝送モードの再設定を行い、再設定後の閉ループ伝送モードで取得された前記チャネル品質情報におけるＰＭＩをデータの下位層への送信の重み値として使用する処理と、
取得された前記チャネル品質情報におけるＲＩがＮより大きい場合、取得された前記チャネル品質情報におけるＰＭＩをデータの下位層への送信の重み値として使用する処理と、のうちの１つ又は複数を含み、
ＮがＳＲＳの上位層への送信のアンテナポート数以下である
重み値取得装置。
【請求項９】
前記処理モジュールが非周期的なＳＲＳの上位層への送信をトリガした後、非周期的なＳＲＳの上位層への送信の時間間隔が、チャネル状態に基づいて前記処理モジュールによってトリガされる
請求項８に記載の重み値取得装置。
【請求項１０】
前記処理モジュールは、取得された前記チャネル品質が予め設定されたチャネル品質の閾値を満たさない場合、現在の重み値の取得方式を維持するようにさらに構成される
請求項８又は９に記載の重み値取得装置。
【請求項１１】
前記処理モジュールは、前記重み値を利用して下位層へ送信されたデータに対して重み付け処理を行うようにさらに構成される
請求項８に記載の重み値取得装置。
【請求項１２】
前記重み値取得装置は、基地局に設けられ、或いは、単独なエンティティである
請求項８に記載の重み値取得装置。
【発明の詳細な説明】
【技術分野】
【０００１】
本発明は、マルチユーザＭＩＭＯ（マルチ入力マルチ出力）技術に関するが、これに限定されない。
【背景技術】
【０００２】
現在、ロングタームエボリューション（Ｌｏｎｇ  Ｔｅｒｍ  Ｅｖｏｌｕｔｉｏｎ，ＬＴＥ）システムは急速に発展しており、ＬＴＥネットワークはすでに多くの場所で商業化を実現している。商業化の推進で商業ユーザの数の急増することに伴い、ＬＴＥシステムは、ユーザ体験を確保する前提下で、より多いユーザをカバーする必要となるため、無線システムに対するユーザの要求を満たすように、強化マルチ入力マルチ出力（Ｍｕｌｔｉｐｌｅ−Ｉｎｐｕｔ  Ｍｕｌｔｉｐｌｅ−Ｏｕｔｐｕｔ，ＭＩＭＯ）技術を採用する必要がある。
【０００３】
ＬＴＥシステムの重要な技術の１つとして、マルチ入力マルチ出力無線伝送技術はスループットの問題を解決するための利器である。十分な開発によって空間リソースの利用率を向上させてスペクトル効率を改善でき、これにより、ユーザ体験とシステム容量を向上させる目的を達成する。空間リソースを十分に開発してスペクトルの利用率を向上させることができることは、マルチ入力マルチ出力無線伝送技術が新世代の移動通信標準３ＧＰＰについての研究のポイントとなる原因である。
【０００４】
マルチユーザＭＩＭＯ技術は、マルチユーザ空間の再利用によってより良いシステムと容量を実現する。近年、理論界と産業界の両方でマルチユーザＭＩＭＯが広く注目されている。マルチユーザＭＩＭＯダウンリンク伝送技術は、データ伝送の効率を確保するように、基地局側で各ユーザのチャネル状態情報を取得する必要がある。実際の応用において、瞬時チャネル状態情報は、一般的に、ユーザ側でチャネル推定によって取得され、且つ、速度が制限されるフィードバックリンクを介して基地局へフィードバックされる。フィードバック遅延がチャネルのコヒーレンス時間を超える場合、ある伝送時点で基地局の取得したチャネル状態情報が当該時点の実際のチャネル状態情報に全く関連しないことがある。基地局によって採用された瞬時チャネル状態情報が完全にタイムアウトした場合、従来のマルチユーザ伝送方案が効果的に実施されることが不可能となっている。この場合、依然として従来の伝送方案が実施されると、システム性能が低下する。言い換えれば、この場合、ＵＥ（Ｕｓｅｒ  Ｅｑｕｉｐｍｅｎｔ）からフィードバックされたチャネル状態情報が相対的に遅延していることにより、システム性能が低下する。
【発明の概要】
【発明が解決しようとする課題】
【０００５】
以下は、この本文で詳しく説明している主題の概要です。本概要は、特許請求の範囲を限定するためのものではない。
【０００６】
本発明は、システム性能を向上でき、ユーザ体験を向上させることができる重み値取得方法及び装置を提供する。
【課題を解決するための手段】
【０００７】
本発明の実施例は、重み値取得方法を提供し、前記方法は、
基地局がチャネル品質情報を取得するステップと、
基地局が、取得されたチャネル品質情報に基づいて、チャネル品質が予め設定されたチャネル品質の閾値を満たすと判断した場合、データの下位層への送信の重み値情報を調整するステップと、を含む。
【０００８】
選択的に、前記チャネル品質情報は、チャネルのランク指標ＲＩ、プレコーディング行列指標ＰＭＩ、チャネル品質指標ＣＱＩのうちの１つ又は複数を含む。
【０００９】
選択的に、
前記チャネル品質が予め設定されたチャネル品質の閾値を満たすことは、取得された前記ＲＩがＮ以下であり、且つ取得された前記ＣＱＩが第１のチャネル品質の閾値Ｍより小さいことを含む。ここで、Ｎがサウンディング基準信号ＳＲＳの上位層への送信のアンテナポート数以下である。
この時、前記データの下位層への送信の重み値情報を調整することは、前記基地局が非周期的なＳＲＳの上位層への送信をトリガし、且つ最近上位層へ送信された非周期的なＳＲＳによってデータの下位層への送信の重み値を算出することを含む。
【００１０】
選択的に、前記基地局が非周期的なＳＲＳの上位層への送信をトリガした後、非周期的なＳＲＳの上位層への送信の時間間隔が、チャネル状態に基づいて前記基地局によってトリガされる。
【００１１】
選択的に、
前記チャネル品質が予め設定されたチャネル品質の閾値を満たすことは、取得された前記ＲＩがＮ以下であり、且つ取得された前記ＣＱＩが第２のチャネル品質の閾値Ｍ１より小さいことを含む。ここで、ＮがＳＲＳの上位層への送信のアンテナポート数以下である。
この時、前記データの下位層への送信の重み値情報を調整することは、前記基地局がＲＲＣ接続の再設定を行い、閉ループ伝送モードから開ループ伝送モードに切り替えて、周期的なＳＲＳの上位層への送信を起動し、周期的なＳＲＳによってデータの下位層への送信の重み値を算出することを含む。
【００１２】
選択的に、
前記チャネル品質が予め設定されたチャネル品質の閾値を満たすことは、取得された前記ＲＩがＮより大きく、取得された前記ＣＱＩが第３のチャネル品質の閾値Ｍ２以上であり、且つ上位層の伝送モードが開ループ伝送モードに設定されることを含む。ここで、ＮがＳＲＳの上位層への送信のアンテナポート数以下である。
この時、前記データの下位層への送信の重み値情報を調整することは、前記基地局の上位層が伝送モードの再設定を行い、閉ループ伝送モードに設定され、閉ループ伝送モードで基地局が取得された前記ＰＭＩをデータの下位層への送信の重み値として使用することを含む。
【００１３】
選択的に、
前記チャネル品質情報が予め設定されたチャネル品質の閾値を満たすことは、取得された前記ＲＩが前記Ｎより大きいことを含む。ここで、Ｎがアンテナポート数以下である。この時、前記基地局は取得された前記ＰＭＩを前記データの下位層への送信の重み値として使用する。
【００１４】
選択的に、
前記基地局がデータの下位層への送信の重み値情報を調整した後、前記重み値を利用して下位層へ送信されたデータに対して重み付け処理を行うステップをさらに含む。
【００１５】
選択的に、
前記基地局がチャネル品質情報を取得した後、取得された前記チャネル品質が予め設定されたチャネル品質の閾値を満たさない場合、現在の重み値の取得方式を維持するステップをさらに含む。
【００１６】
本発明の実施例は、重み値取得装置をさらに提供し、この装置は、
チャネル品質情報を取得するように構成される取得モジュールと、
取得されたチャネル品質情報に基づいて、チャネル品質が予め設定されたチャネル品質の閾値を満たすと判断した場合、データの下位層への送信の重み値情報を調整するように構成される処理モジュールと、を備える。
【００１７】
選択的に、
前記処理モジュールが、取得されたチャネル品質情報に基づいて、チャネル品質が予め設定されたチャネル品質の閾値を満たすと判断した場合、データの下位層への送信の重み値情報を調整することは、
取得された前記チャネル品質情報におけるＲＩがＮ以下であり、且つ取得された前記チャネル品質情報におけるＣＱＩが第１のチャネル品質の閾値Ｍより小さい場合、非周期的なＳＲＳの上位層への送信をトリガし、且つ最近上位層へ送信された非周期的なＳＲＳによってデータの下位層への送信の重み値を算出する処理と、
取得された前記チャネル品質情報におけるＲＩがＮ以下であり、且つ取得された前記チャネル品質情報におけるＣＱＩが第２のチャネル品質の閾値Ｍ１より小さい場合、ＲＲＣの再設定を行い、閉ループ伝送モードから開ループ伝送モードに切り替えて、周期的なＳＲＳの上位層への送信を起動し、周期的なＳＲＳによってデータの下位層への送信の重み値を算出する処理と、
取得された前記チャネル品質情報におけるＲＩがＮより大きく、取得された前記チャネル品質情報におけるＣＱＩが第３のチャネル品質の閾値Ｍ２以上であり、且つ上位層の伝送モードが開ループ伝送モードに設定され、伝送モードの再設定を行い、再設定後の閉ループ伝送モードで取得された前記チャネル品質情報におけるＰＭＩをデータの下位層への送信の重み値として使用する処理と、
取得された前記チャネル品質情報におけるＲＩがＮより大きい場合、取得された前記チャネル品質情報におけるＰＭＩをデータの下位層への送信の重み値として使用する処理と、のうちの１つ又は複数を含む。
ここで、ＮがＳＲＳの上位層への送信のアンテナポート数以下である。
【００１８】
選択的に、
前記処理モジュールが非周期的なＳＲＳの上位層への送信をトリガした後、非周期的なＳＲＳの上位層への送信の時間間隔が、チャネル状態に基づいて前記処理モジュールによってトリガされる。
【００１９】
選択的に、
前記処理モジュールは、取得された前記チャネル品質が予め設定されたチャネル品質の閾値を満たさない場合、現在の重み値の取得方式を維持するようにさらに構成される。
【００２０】
選択的に、
前記処理モジュールは、前記重み値を利用して下位層へ送信されたデータに対して重み付け処理を行うようにさらに構成される。
【００２１】
選択的に、
前記重み値取得装置は、基地局に設けられ、或いは、単独なエンティティである。
【発明の効果】
【００２２】
従来技術に比較して、上記方案は、基地局の端末から報告された情報への依存性を低減し、基地局が自身のリソース上の利点を十分に発揮するようにし、ＳＲＳリソースと端末から報告された情報とを組み合わせ、チャネル品質状況、即ち端末から報告されたＲＩに基づいて、ＣＱＩと組み合わせてデータを下位層へ送信する時の重み付け値を選択し、基地局側の重み値がチャネルと良くマッチングするようにし、システムのスペクトル効率を改善し、これにより、システム性能を向上させるとともに、ユーザ体験を確保する。
【００２３】
他の局面は、図面及び詳細な説明を読んで理解することによって明らかになるであろう。
【図面の簡単な説明】
【００２４】
【図１】本発明の実施例に係る重み値取得方法のフローチャートである。
【図２】本発明の実施例に係る重み値取得装置の構成を示す図である。
【発明を実施するための形態】
【００２５】
以下、図面を併せて本発明の実施形態を説明する。なお、矛盾しない前提で、本発明の実施例及び実施例における特徴を互いに組み合わせてもよい。
【００２６】
図１は本発明の実施例に係る重み値取得方法のフローチャートであり、図１に示すように、以下のステップを含む。
【００２７】
ステップ１００：基地局はチャネル品質情報を取得する。
【００２８】
このステップにおいて、基地局においてＵＥがチャネル品質情報を周期的に報告するように設定されることができ、具体的な実施については、ここで説明を省略する。
【００２９】
ここで、チャネル品質情報は、チャネルのランク指標（ＲＩ、Ｒａｎｋ  Ｉｎｄｉｃａｔｏｒ）と、プレコーディング行列指標（ＰＭＩ、Ｐｒｅｃｏｄｉｎｇ  Ｍａｔｒｉｘ  Ｉｎｄｉｃａｔｏｒ）と、チャネル品質指標（ＣＱＩ、Ｃｈａｎｎｅｌ  Ｑｕａｌｉｔｙ  Ｉｎｄｉｃａｔｏｒ）と、を含むことができる。
【００３０】
ステップ１０１：基地局は、取得されたチャネル品質情報に基づいて、チャネル品質が予め設定されたチャネル品質の閾値を満たすと判断した場合、データの下位層への送信の重み値情報を調整する。
【００３１】
このステップにおいて、実際の応用シナリオに応じてチャネル品質の閾値を設定でき、チャネル状態が良い場合、チャネル品質の閾値を高く設定し、チャネル状態が悪い場合、チャネル品質の閾値を低く設定してよい。
【００３２】
このステップの具体的な実施の形態は以下のステップを含む。
【００３３】
システムにおいて、ＵＥが非周期的なＳＲＳしか上位層へ送信できないように構成される場合、
このステップにおいて、チャネル品質が予め設定されたチャネル品質の閾値を満たすことは、ＵＥから報告されたＲＩがＮ以下であり、且つＣＱＩが第１のチャネル品質の閾値Ｍより小さいことを含む。ここで、Ｎがサウンディング基準信号（ＳＲＳ、Ｓｏｕｎｄｉｎｇ  Ｒｅｆｅｒｅｎｃｅ  Ｓｉｇｎａｌ）送信のアンテナポート数以下である。この時、
このステップにおいて、データの下位層への送信の重み値情報を調整することは、基地局が非周期的なＳＲＳの上位層への送信をトリガし、且つ最近１回上位層へ送信された非周期的なＳＲＳによってデータの下位層への送信の重み値を算出することを含む。このようにして、算出された重み値を利用して下位層へ送信されたデータに対して重み付け処理を行うことができる。ここで、非周期的なＳＲＳの上位層への送信の時間間隔は、チャネル状態に基づいて基地局によってトリガされ、例えば、基地局は、所定の時間Ｔ内に否定応答（ＮＡＣＫ、Ｎｅｇａｔｉｖｅ  ＡＣＫｎｏｗｌｅｄｇｅｍｅｎｔ）が報告された回数に基づいて非周期的なＳＲＳの上位層への送信の時間間隔をトリガすることができる。所定の時間Ｔ内にＮＡＣＫが報告された回数が予め設定されたトリガ閾値Ｎ１を超える場合、上記の非周期的なＳＲＳの上位層への送信をトリガする。ここで、Ｔの大きさが応答感度に関連し、要求される感度が高くなるほど、所定の時間Ｔの値が小さく、ここで、当業者は、Ｎ１の決定がシステムに要求されるブロック誤り率に関連し、誤り率が低くなるほどＮ１の値が小さいことを容易に理解することができる。なお、ここで、どのようにして非周期的なＳＲＳの上位層への送信をトリガするかについて、例を挙げて説明しただけで、本発明の非周期的なＳＲＳの上位層への送信をトリガする方式を限定するものではなく、また、どのようにしてＳＲＳに基づいてデータの下位層への送信の重み値を算出することについては、ここで説明を省略する。
【００３４】
或いは、
システムにおいて、ＵＥが周期的なＳＲＳしか上位層へ送信できないように構成される場合、
このステップにおいて、チャネル品質が予め設定されたチャネル品質の閾値を満たすことは、ＵＥから報告されたＲＩがＮ以下であり、且つＣＱＩが第２のチャネル品質の閾値Ｍ１より小さいことを含む。ここで、ＮがＳＲＳの上位層への送信のアンテナポート数以下である。この時、
このステップにおいて、データの下位層への送信の重み値情報を調整することは、基地局が無線リソース制御（ＲＲＣ、Ｒａｄｉｏ  Ｒｅｓｏｕｒｃｅ  Ｃｏｎｔｒｏｌ）の再設定を行い、閉ループ伝送モードから開ループ伝送モードに切り替えて、周期的なＳＲＳの上位層への送信を起動し、周期的なＳＲＳによってデータの下位層への送信の重み値を算出することを含む。このようにして、算出された重み値を利用して下位層へ送信されたデータに対して重み付け処理を行うことができる。
【００３５】
或いは、
このステップにおいて、チャネル品質が予め設定されたチャネル品質の閾値を満たすことは、ＵＥから報告されたＲＩがＮより大きく、ＣＱＩが第３のチャネル品質の閾値Ｍ２以上であり、且つ上位層の伝送モードが開ループ伝送モードに設定される。ここで、ＮがＳＲＳの上位層への送信のアンテナポート数以下である。この時、
このステップにおいて、データの下位層への送信の重み値情報を調整することは、基地局が上位層シグナリングを介して伝送モードの再設定を行い、閉ループ伝送モードに設定され、閉ループ伝送モードで基地局がＵＥから報告されたＰＭＩを調整後のデータの下位層への送信の重み値として使用することを含む。このようにして、算出された重み値を利用して下位層へ送信されたデータに対して重み付け処理を行うことができる。
【００３６】
このステップにおいて、基地局が取得されたチャネル品質情報に基づいてチャネル品質が予め設定されたチャネル品質の閾値を満たすと判断することは、ＵＥから報告されたＲＩがＮより大きいことを含み、ＮがＳＲＳの上位層への送信のアンテナポート数以下である場合、この時、このステップにおいて、データの下位層への送信の重み値情報を調整することは、基地局がＵＥから報告されたＰＭＩをデータの下位層への送信の重み値として使用して下位層へ送信されたデータに対して重み付け処理を行うことを含む。
【００３７】
このステップにおいて前記チャネル品質が予め設定されたチャネル品質の閾値を満たす場合の処理によって、ＲＩがＮ以下である場合、変調・符号化方式（ＭＣＳ、Ｍｏｄｕｌａｔｉｏｎ  ａｎｄ  Ｃｏｄｉｎｇ  Ｓｃｈｅｍｅ）を改善し、つまり、システムのスペクトル効率を改善し、これによりシステム性能を向上させる。
【００３８】
前記チャネル品質が予め設定されたチャネル品質の閾値を満たさない場合、即ち、前記予め設定されたチャネル品質の閾値を満たす場合以外の他の場合、つまり、重み値変更条件が満たされない場合、現在の重み値の取得方式を維持する。
【００３９】
なお、上記の第１のチャネル品質の閾値Ｍと第２のチャネル品質の閾値Ｍ１と第３のチャネル品質の閾値Ｍ２とは、同じであってもよいし、部分的に同じであってもよいし、異なっていてもよく、当業者は、具体的な値が実際の応用シナリオによって決定されることを知っている。
【００４０】
なお、開ループ伝送では、基地局は、非周期的なチャネル状態情報（ＣＳＩ、Ｃｈａｎｎｅｌ  Ｓｔａｔｅ  Ｉｎｆｏｒｍａｔｉｏｎ）の報告によってチャネル品質情報を取得できる。
【００４１】
本発明により提供された技術案によれば、基地局の端末から報告された情報への依存性を低減し、基地局が自身のリソース上の利点を十分に発揮するようにし、ＳＲＳリソースと端末から報告された情報とを組み合わせ、チャネル品質状況、即ち端末から報告されたＲＩに基づいて、ＣＱＩと組み合わせてデータを下位層へ送信する時の重み付け値を選択し、基地局側の重み値がチャネルと良くマッチングするようにし、システムのスペクトル効率を改善し、これにより、システム性能を向上させるとともに、ユーザ体験を確保する。
【００４２】
以下、具体的な実施例を併せて本発明方法を詳細に説明する。
【００４３】
第１の実施例において、ＵＥがＳＲＳ単一アンテナポートの非周期的な報告をサポートすると仮定すれば、本実施例におけるＮ＝１であり、且つ第１のチャネル品質の閾値Ｍ＝７である場合、本実施例に提供された技術案によれば、基地局がデータを処理するステップは以下のステップを含む。
【００４４】
まず、基地局は、ＲＩ、ＰＭＩ、ＣＱＩ及びＰＴＩなどを含むチャネル品質情報を周期的に報告するようにＵＥを構成する。
【００４５】
次に、基地局は、ＵＥから報告されたＲＩが１であり、且つＣＱＩが第１のチャネル品質の閾値Ｍより小さいと判断する場合、非周期的なＳＲＳの上位層への送信をトリガし、最近上位層へ報告された非周期的なＳＲＳによってデータの下位層への送信の重み値を算出する。ここで、第１の実施例において、所定の時間Ｔ内にＮＡＣＫの報告された回数が予め設定されたトリガ閾値Ｎ１より大きい場合、上記の非周期的なＳＲＳの上位層への送信をトリガする。ここで、Ｎ１の値がシステムに要求されるブロック誤り率によって決定される。システムに要求される誤り率が低くなるほどＮ１の値が小さい。
【００４６】
基地局は、ＲＩが１を超えると判断する場合、ＵＥから報告されたＰＭＩを重み値として使用して下位層へ送信されたデータに対して重み付け処理を行う。第１の実施例の実現形態について、開閉ループ伝送モードの切り替えを起動しなくてもよい。
【００４７】
チャネル品質が予め設定されたチャネル品質の閾値を満たさない場合、即ち、重み値変更条件が満たされない場合、現在の重み値の取得方式を維持する。
【００４８】
在第２の実施例において、ＵＥがＳＲＳ２アンテナポートの非周期的な報告をサポートすると仮定すれば、本実施例にけるＮ＝２であり、且つ第１のチャネル品質の閾値Ｍ＝７である場合、本実施例に提供された技術案によれば、基地局がデータを処理するステップは以下のステップを含む。
【００４９】
まず、基地局は、ＲＩ、ＰＭＩ、ＣＱＩ及びＰＴＩなどを含むチャネル品質情報を周期的に報告するようにＵＥを構成する。
【００５０】
次に、基地局は、ＵＥから報告されたＲＩが２以下であり、且つＣＱＩが第１のチャネル品質の閾値Ｍより小さいと判断する場合、非周期的なＳＲＳの上位層への送信をトリガし、最近上位層へ送信された非周期的なＳＲＳによってデータの下位層への送信の重み値を算出する。非周期的なＳＲＳの上位層への送信の時間間隔は、チャネル状態に基づいて基地局によってトリガされる。
【００５１】
基地局は、ＲＩが２を超えると判断する場合、ＵＥから報告されたＰＭＩを使用して下位層へ送信されたデータに対して重み付け処理を行う。
【００５２】
チャネル品質が予め設定されたチャネル品質の閾値を満たさない場合、即ち、重み値変更条件が満たされない場合、現在の重み値の取得方式を維持する。
【００５３】
第３の実施例において、ＵＥがＳＲＳ単一アンテナの周期的な報告をサポートすると仮定すれば、本実施例にけるＮ＝１であり、第２のチャネル品質の閾値Ｍ１＝８であり、且つ第３のチャネル品質の閾値Ｍ２＝１１である場合、本実施例に提供された技術案によれば、基地局がデータを処理するステップは以下のステップを含む。
【００５４】
まず、基地局は、ＲＩ、ＰＭＩ、ＣＱＩ及びＰＴＩなどを含むチャネル品質情報を周期的に報告するようにＵＥを構成する。
【００５５】
次に、基地局は、ＵＥから報告されたＲＩが１であり、且つＣＱＩが第２のチャネル品質の閾値Ｍ１より小さいと判断する場合、ＲＲＣの再設定を行い、閉ループ伝送モードから開ループ伝送モードに切り替えて、周期的なＳＲＳの上位層への送信を起動し、且つ周期的なＳＲＳによってデータの下位層への送信の重み値を算出する。
【００５６】
基地局は、ＲＩが１を超え、ＣＱＩが第３のチャネル品質の閾値Ｍ２以上であり、且つ上位層の伝送モードが開ループ伝送モードに設定されると判断する場合、基地局の上位層が伝送モードの再設定を行い、閉ループ伝送モードに設定され、閉ループ伝送モードで基地局がＵＥから報告されたＰＭＩを使用して下位層へ送信されたデータに対して重み付け処理を行う。
【００５７】
基地局は、ＲＩが１を超えると判断する場合、基地局がＵＥから報告されたＰＭＩを使用して下位層へ送信されたデータに対して重み付け処理を行う。
【００５８】
チャネル品質が予め設定されたチャネル品質の閾値を満たさない場合、即ち、重み値変更条件が満たされない場合、現在の重み値の取得方式を維持する。
【００５９】
第４の実施例において、ＵＥがＳＲＳ２ポートアンテナの周期的な送信をサポートすると仮定すれば、本実施例にけるＮ＝２であり、第２のチャネル品質の閾値Ｍ１＝８であり、且つ第３のチャネル品質の閾値Ｍ２＝１１である場合、本実施例に提供された技術案によれば、基地局がデータを処理するステップは以下のステップを含む。
【００６０】
まず、基地局は、ＲＩ、ＰＭＩ、ＣＱＩ及びＰＴＩなどを含むチャネル品質情報を周期的に報告するようにＵＥを構成する。
【００６１】
次に、基地局は、ＵＥから報告されたＲＩが２以下であり、且つＣＱＩが第２のチャネル品質の閾値Ｍ１より小さいと判断する場合、ＲＲＣの再設定を行い、閉ループ伝送モードから開ループ伝送モードに切り替えて、周期的なＳＲＳの上位層への送信を起動し、周期的なＳＲＳによってデータの下位層への送信の重み値を算出する。
【００６２】
基地局は、ＲＩが２を超え、ＣＱＩが第３のチャネル品質の閾値Ｍ２以上であり、且つ上位層の伝送モードが開ループ伝送モードに設定されると判断する場合、基地局の上位層が伝送モードの再設定を行い、閉ループ伝送モードに設定され、閉ループ伝送モードで基地局がＵＥから報告されたＰＭＩを使用して下位層へ送信されたデータに対して重み付け処理を行う。
【００６３】
基地局は、ＲＩが２を超えると判断する場合、基地局がＵＥから報告されたＰＭＩを使用して送信下位層へデータされたに対して重み付け処理を行う。
【００６４】
チャネル品質が予め設定されたチャネル品質の閾値を満たさない場合、即ち、重み値変更条件が満たされない場合、現在の重み値の取得方式を維持する。
【００６５】
上記実施例におけるＮがＳＲＳの上位層への送信のアンテナポート数以下である。
【００６６】
上記実施例において、開ループ伝送モードでは、基地局は非周期的なＣＳＩの報告によってチャネル品質情報を取得できる。
【００６７】
以上の方法によれば、基地局は取得されたチャネル情報に基づいて、開ループと閉ループとの伝送方式を組み合わせ、チャネルに適合する重み値情報を提供し、これにより、チャネルとマッチングし、システムのスループットを向上する。
【００６８】
図２は本発明の実施例に係る重み値取得装置の構成を示す図であり、図２に示すように、前記装置は、少なくとも、
チャネル品質情報を取得するように構成される取得モジュールと、
取得されたチャネル品質情報に基づいて、チャネル品質が予め設定されたチャネル品質の閾値を満たすと判断した場合、データの下位層への送信の重み値情報を調整するように構成される処理モジュールと、を備える。
【００６９】
選択的に、前記処理モジュールが、取得されたチャネル品質情報に基づいて、チャネル品質が予め設定されたチャネル品質の閾値を満たすと判断した場合、データの下位層への送信の重み値情報を調整することは、
取得されたチャネル品質情報におけるＲＩがＮ以下であり、且つ取得されたチャネル品質情報におけるＣＱＩが第１のチャネル品質の閾値Ｍより小さい場合、非周期的なＳＲＳの上位層への送信をトリガし、最近上位層へ送信された非周期的なＳＲＳによってデータの下位層への送信の重み値を算出する処理と、
取得されたチャネル品質情報におけるＲＩがＮ以下であり、且つ取得されたチャネル品質情報におけるＣＱＩが第２のチャネル品質の閾値Ｍ１より小さい場合、ＲＲＣの再設定を行い、閉ループ伝送モードから開ループ伝送モードに切り替えて、周期的なＳＲＳの上位層への送信を起動し、周期的なＳＲＳによってデータの下位層への送信の重み値を算出する処理と、
取得されたチャネル品質情報におけるＲＩがＮより大きく、取得されたチャネル品質情報におけるＣＱＩが第３のチャネル品質の閾値Ｍ２以上であり、且つ上位層の伝送モードが開ループ伝送モードに設定される場合、伝送モードの再設定を行い、再設定後の閉ループ伝送モードで取得されたチャネル品質情報におけるＰＭＩを調整後のデータの下位層への送信の重み値として使用する処理と、
取得されたチャネル品質情報におけるＲＩがＮより大きい場合、取得されたチャネル品質情報におけるＰＭＩをデータの下位層への送信の重み値として使用する処理と、のうちの１つ又は複数を含む。
ここで、ＮがＳＲＳの上位層への送信のアンテナポート数以下である。
【００７０】
選択的に、前記処理モジュールが非周期的なＳＲＳの上位層への送信をトリガした後、非周期的なＳＲＳの上位層への送信の時間間隔は、チャネル状態に基づいて前記処理モジュールによってトリガされる。
【００７１】
選択的に、前記処理モジュールは、取得されたチャネル品質が予め設定されたチャネル品質の閾値を満たさない場合、現在の重み値の取得方式を維持するようにさらに構成される。
【００７２】
選択的に、前記処理モジュールは、前記重み値を利用して下位層へ送信されたデータに対して重み付け処理を行うようにさらに構成される。
【００７３】
選択的に、前記重み値取得装置は、基地局に設けられてもよいし、単独なエンティティであってもよい。
【００７４】
当業者であれば、上記実施例のステップの全部又は一部を、コンピュータプログラムのフローにより実現でき、前記コンピュータプログラムは、コンピュータ読み取り可能な記録媒体に記憶されることができ、前記コンピュータプログラムは、対応するハードウェアプラットフォーム（例えば、システム、機器、装置、デバイス等）で実行され、実行に当たって、方法実施例に係る各ステップの１つ又はそれらの組み合わせを含むことは、理解できるものである。
【００７５】
選択的に、上記実施例のステップの全部又は一部は、集積回路によって実現することもでき、これらのステップは、それぞれの集積回路モジュールとして作成されてもよく、又はそれらのうちの複数のモジュール又はステップを単一の集積回路モジュールとして作成して実現することもできる。
【００７６】
上記実施例における装置／機能モジュール／機能ユニットは汎用の計算装置によって実現できる。これらは、単一の計算装置に集中してもよいし、複数の計算装置が構成するネットワークに分布してもよい。
【００７７】
上記実施例における装置／機能モジュール／機能ユニットがソフトウェア機能モジュールにより実現され、且つ単独な製品として販売又は使用される場合には、コンピュータ読み取り可能な記録媒体に記憶されることができる。上記で言及されたコンピュータ読み取り可能な記録媒体は、読み取り専用メモリや磁気ディスク、又は光ディスク等であってもよい。
【産業上の利用可能性】
【００７８】
本発明に係る実施例の方案によれば、基地局がチャネル品質情報を周期的に取得し、取得されたチャネル品質情報に基づいて、チャネル品質が予め設定されたチャネル品質の閾値を満たすと判断した場合、データの下位層への送信の重み値情報を調整する。基地局の端末から報告された情報への依存性を低減し、基地局が自身のリソース上の利点を十分に発揮するようにし、ＳＲＳリソースと端末から報告された情報とを組み合わせ、チャネル品質状況、即ち端末から報告されたＲＩに基づいて、ＣＱＩと組み合わせてデータを下位層へ送信する時の重み付け値を選択し、基地局側の重み値がチャネルと良くマッチングするようにし、システムのスペクトル効率を改善し、これにより、システム性能を向上させるとともに、ユーザ体験を確保する。
【図１】
0006553292.tif 000002
【図２】
0006553292.tif 000003